(57)【要約】【課題】  重量衝撃音レベルを低減し、かつ、施工が容易な二重床を提供する。【解決手段】  床基盤(10)上に支持脚(15)が立設され、空隙を介して床パネル(1) が敷設されてなる二重床構造において、床パネル(1) の下面に設けられた凹部(5) に支持脚(15)の上端に設けられた凸起(6) が遊嵌されている。このように床パネルの凹部(5) に支持脚(15)の凸起(6) を遊嵌させることにより、重量衝撃が加わった時に床パネル(1) と支持脚(15)が相互に移動可能であり、重量衝撃音レベルを低減し、かつ、施工が容易である。支持脚(15)が床パネル(1) に対して０．０１〜２ｍｍ面方向に移動可能となされていることが好ましい。【選択図】    図１
2007217875.tif 000002
【特許請求の範囲】
【請求項１】
床基盤上に複数本の支持脚が立設され、床基盤から空隙をおいて支持脚の各上端に亘って床パネルが敷設されてなる二重床構造において、床パネルの下面に設けられた嵌合部に支持脚の上端に設けられて嵌合部が遊嵌されていることを特徴とする床パネルと支持脚の嵌合構造。
【請求項２】
支持脚が床パネルに対してパネル面方向に０．０１〜２ｍｍ移動可能となされていることを特徴とする請求項１記載の床パネルと支持脚の嵌合構造。
【発明の詳細な説明】
【技術分野】
【０００１】
本発明は集合住宅、オフィス等に用いられ、階下に伝わる床衝撃音を効果的に遮断することができる二重床構造に関し、より詳しくは、床パネルの下面に設けられた嵌合部と支持脚の上端に設けられて嵌合部との嵌合構造に関するものである。
【背景技術】
【０００２】
従来、コンクリート製の集合住宅、オフィス等の床構造には床基盤（コンクリートスラブ）上に束、支持脚等を設置し、その上に床パネルを敷設する二重床構造が数多く用いられている。また、集合住宅においては、床パネル上に床仕上げ材として木質フローリングが施工されることが多くなっている。これらの構造の中には、階下に伝わる床衝撃音の遮断を目的として支持脚における床基盤と接する部分に防振ゴムを取り付けたものがある。これにより、床上にスプーンを落としたり、床上をスリッパで歩行したりする時に発生する軽量系の床衝撃音（LL値）を低減することが可能である。
【０００３】
しかしながら、床上を子供が飛び跳ねたりする時に生じる重量系の床衝撃音（LH値，特に63Hz）については、防振ゴムの構成（形状や硬度、材質）を規定するだけでは十分な遮音は難しく、却って二重床構造とすることで床基盤の性能よりも悪化することが多々あった。この欠点に対し、床パネルとして用いられるパーティクルボードの厚みを増すなどして床下地の剛性を向上させたり、アスファルト製の制振シートを用いて単位面積あたりの重量を増すといった対策が取られている。
【０００４】
また、特許文献１では、支持構造上に敷設される床下地を、剛性を有する第１の板状体と第２の板状体に分け、これら板状体の間に制振シートや防振突起部材を介在させて重量衝撃音を低減する手法が提案されている（特許文献１参照）。
【特許文献１】特許第３４７７０７２号公報
【発明の開示】
【発明が解決しようとする課題】
【０００５】
このように、従来、二重床構造における重量衝撃音対策は、主に、床下地の重量や剛性を増したり、２層の床下地を設ける等により重量衝撃による床の変形を抑制することでなされていた。しかしながら、こういった手法では施工に必要な部材数が多くなり、施工手間が掛かり、また、高層集合住宅においては荷揚げの労力が大きくなるといった課題がある。
【０００６】
本発明は、従来の二重床構造の課題として挙げられる重量衝撃音レベルを低減し、かつ、施工が容易な二重床構造を提供することを目的とする。
【課題を解決するための手段】
【０００７】
二重床構造において階下に伝わる重量衝撃音は、重量衝撃が加わった時の床下地の変形が床下地と床基盤の間にある空気層を振動させ、その空気によりスラブが加振されることにより増大される。この現象は壁際を巾木等で密閉したり、床パネル間の隙間を床仕上げ材で密閉した場合に顕著に現れる（俗に、太鼓音と呼ばれる）。
【０００８】
本発明は、この空気層の振動を小さくすることに着目し、重量衝撃音が加わった時に隣接する床パネルに対する振動の伝達を抑制し、床下地構造全体が振動するのを小さく抑えることができるという現象に基づいて完成されたものである。
【０００９】
即ち、請求項１記載の発明は、床基盤上に複数本の支持脚が立設され、床基盤から空隙をおいて支持脚の各上端に亘って床パネルが敷設されてなる二重床構造において、床パネルの下面に設けられた嵌合部に支持脚の上端に設けられて嵌合部が遊嵌されていることを特徴とする床パネルと支持脚の嵌合構造である。
【００１０】
床パネル下面の嵌合部および支持脚上端の嵌合部は、例えば凸起とこれに対応する凹部との凹凸嵌合であってよい。下面の嵌合部および支持脚上端のいずれが凸起でいずれが凹部であってもよい。
【００１１】
床パネル下面の嵌合部を支持脚上端の嵌合部に遊嵌させるには、例えば凸起の寸法より凹部の寸法を若干大きく取る。
【００１２】
このように床パネル下面の嵌合部に支持脚上端の嵌合部を遊嵌させることにより、重量衝撃が加わった時に床パネルと支持脚が相互に移動可能であり、重量衝撃音レベルを低減することができる上に、施工は容易である。
【００１３】
請求項２記載の発明は、支持脚が床パネルに対してパネル面方向に０．０１〜２ｍｍ移動可能となされていることを特徴とする請求項１記載の床パネルと支持脚の嵌合構造である。
【発明の効果】
【００１４】
本発明によれば、床パネルの下面に設けられた嵌合部に支持脚の上端に設けられて嵌合部が遊嵌されているので、重量衝撃が加わった時に床パネルと支持脚が相互に移動可能であり、これにより重量衝撃音レベルを低減することができる。また、本発明による嵌合構造は施工に必要な部材が少ない為に簡易に施工することができる。
【発明を実施するための最良の形態】
【００１５】
以下、本発明の１実施例について図面を用いて詳細に説明する。
【００１６】
二重床構造床は、床基盤上に複数本の支持脚が立設され、床基盤から空隙をおいて支持脚の各上端に亘って床パネルが敷設されてなる。以下、二重床構造床の床パネル、支持脚および床構成について詳しく説明をする。
【００１７】
〔Ｉ〕床パネル
図２において、床パネル(1) の下面には支持脚が嵌合可能となるように格子状のリブ(2) を設けることにより多数の凹部(5) が形成されている。床パネル(1) 下面の凹凸形成手法はこの限りでなく、床パネルに貫通孔を設けるなどしてもよいが、床仕上げ材を固定しやすくし、支持脚の設置可能な位置を多くする為に格子状のリブにより多数の凹部が形成されている。
【００１８】
なお、床パネルは、原材料として無機粉体４０ｖｏｌ％とポリオレフィン６０ｖｏｌ％からなる組成物を回転羽根により攪拌することで熔融し、この熔融物をプレス成形して得たものである。
【００１９】
床パネルを構成する素材は樹脂、金属、木材、石材もしくは前記組成物など特に限定されないが、金型を用いたプレス成形、射出成形が容易に行える熱可塑性樹脂を主体としたものが好ましく、素材の剛性を向上させる為に木粉や無機材粉を充填することが好ましい。
【００２０】
〔II〕支持脚
図１において、支持脚(15)は支持ボルト(8) を主体とし、その上部には床パネル支持板(3) が取り付けてある。支持板(3) はポリオレフィンを射出成形することにより得たものである。支持板(3) の素材は特に限定されないが、後述する凸起(6) が射出成形で支持板(3) と一体に成形しやすい為に熱可塑性樹脂を主体としたものが望ましい。支持板(3) の上面すなわち床パネル支持面(4) には凸起(6) が設けられ、床パネル(1) 下面に設けられた凹部(5) に嵌合されている。支持脚と床パネルの嵌合方法はこの限りではなく、支持脚に凹部を設けて床パネルに凸起を設け、これらを凹凸起嵌合させる等でもよい。また、図４に示すように、複数の凸起(6) の間に補助凸起(11)を設けて補助凸起(11)と凸起(6) の間にリブ(2) を挟み込んで支持脚の位置調整をしやすくしてもよい。嵌合床パネル敷設後に床下地の高さを調整する為に、床パネル支持板(3) の下面にはナット(7) が取り付けられ、これに支持ボルト(8) が回転可能に螺合している。また、支持ボルト下端にはコーン状の防振ゴム片(9) が取り付けられ、その底面が床基盤(10)と接している。支持脚の構成はこの限りではないが、重量衝撃が加わった時に支持脚を伝わって床基盤が加振されることを抑制する為に防振ゴムを取り付けた構成が望ましい。
【００２１】
凸起(6) の寸法は床パネル(1) 下面に設けられた凹部(5) よりも小さく設定されており、床パネル(1) 下面と床パネル支持面(4) を接して凸起(6) と凹部(5) を嵌合させた時に床パネル支持板(3) が床パネル(1) に対して０．０１〜２ｍｍだけパネル面方向に移動を可能としている。
【００２２】
上記の移動範囲は床パネルの剛性、防振ゴム片の硬度、床仕上げ材の固定方法等、床構成によって設定されるものであるが、床パネル上にフローリング床仕上げ材を張る場合にはこの移動範囲が０．０１ｍｍ未満であると十分な遮音効果が得られず、２ｍｍを越えると重量衝撃や地震等の予期せぬ天災で支持脚が脱落する恐れがある。
【００２３】
〔III〕床構成
図１において、前項記載の通り、支持脚(15)上に床パネル(1) を凹凸嵌合により設置し、床仕上げ材として合板フローリング(14)を床パネル上に固定する。床パネルと床仕上げ材の間には捨張合板や制振シート等の副資材を介挿して施工してもよい。また、支持脚と床パネルを凹凸嵌合させた上で両者をビス等で固定してもよいが、重量衝撃音を大きく低減する為には、固定しないことが望ましい。
【００２４】
また、床パネルと床基盤の間にはグラスウール、ロックウール等の断熱材を設置した場合でも十分な遮音効果が得られる。図１中、(12)は巾木、(13)は躯体壁である。
【００２５】
評価試験
〔Ｉ〕試験方法
実施例では、２００ｍｍ厚のコンクリートスラブを有する箱型試験場（実大試験場）の二階において、上述して二重床構造を長方形に１０ｍ２  敷設した。また、長方形４辺は木製の框材で囲い、そのうち框材２つは躯体壁面と接するようにした。床パネル上には１２ｍｍ厚の合板フローリングを敷設し、合板フローリングと框材の間にはヒレ付巾木（ポリ塩化ビニル製のヒレが付いたＭＤＦからなる基材の巾木）を設置した。床パネルに対する支持脚の移動可能距離は、実施例１では０．０１ｍｍ、実施例２では２ｍｍとした。
【００２６】
比較例１として、支持板の凸起の寸法と床パネル下面の凹部の寸法を同一とし、床パネルに対する支持脚の移動可能距離を０ｍｍとした。
【００２７】
比較例２として一般的に用いられているパーティクルボード製二重床パネル（６００×１８００×２０ｍｍ）にパーティクルボード製支持板を床パネル四隅にビス止めし、各支持板に隅部支持脚を取付け、さらに二重床パネル長辺の隅部支持脚間に４５０ｍｍピッチで中間部支持脚をビス止めして、二重床構造とした。したがって、床パネルに対する支持脚の移動可能距離は０ｍｍである。尚、パネル、支持板以外の構成は実施例と同様のものとした。
【００２８】
それぞれの二重床構造について、バングマシン（重量７．３ｋｇのタイヤを高さ８５ｃｍより落下させる装置）を用いて長方形に敷設した二重床構造の中心部、及び、中心部と四隅を結ぶ線上の２等分点の計５箇所を打撃し、階下で音量を測定した。また、同様の打撃を床基盤に加えた時の音量についても測定を行い、二重床敷設前後の音量差を二重床による重量衝撃音低減量として表した。
【００２９】
〔II〕試験結果
表１にそれぞれの試験体の周波数６３Ｈｚにおける重量衝撃音低減量を示す。比較例２の構造は一般的な二重床構造として知られているものであるが、背景技術として前記したように、二重床敷設後に床基盤に対して重量衝撃音が８ｄＢ悪化した。また、格子状リブをもつ床パネルに対し、支持板のパネル方向に移動を不可にした比較例１についても同様の結果となった。実施例２のように、支持板のパネル方向に移動を２ｍｍ可能にしたものは、重量衝撃音の悪化が２ｄＢに抑えられており、実施例１のように０．０１ｍｍとした場合には床基盤に対して１ｄＢ向上する結果が得られ、本発明の効果が示された。
【００３０】
本発明により、二重床構造における階下に伝わる重量衝撃音を軽減し、かつ施工に必要な部材が少ない為に簡易に施工することが可能となる。
【表１】
2007217875.tif 000003
【図面の簡単な説明】
【００３１】
【図１】本発明の二重床設置例を示す垂直断面図である。
【図２】床パネル下面の例を示す斜視図である。
【図３】床パネル凹部に支持板凸部が嵌め込まれた例を示す斜視図である。
【図４】（ａ）は支持板の例を示す平面図、（ｂ）はその側面図である。
【符号の説明】
【００３２】
(1) …床パネル
(2) …リブ
(3) …支持板
(4) …床パネル支持面
(5) …凹部
(6) …凸起
(7) …ナット
(8) …支持ボルト
(9) …防振ゴム片
(10)…床基盤
(11)…補助凸起
(12)…巾木
(13)…框材
(14)…フローリング
(15)…支持脚
【図１】
2007217875.tif 000004
【図２】
2007217875.tif 000005
【図３】
2007217875.tif 000006
【図４】
2007217875.tif 000007